(57)【要約】      （修正有）【課題】防音壁に対して確実に取り付けることができ、且つ設置に係わる作業が簡便なものとできる防音壁用発光装置及び発光システムを提供する。【解決手段】嵌着部１を用いて防音壁Ｎに取り付けられることで、発光装置１０を防音壁Ｎに確実に取り付けることができ、また防音壁Ｎ上端に嵌着部１を用いて嵌着することで取り付けられるので、笠木Ｎ２、防音パネルＮ１の取り外しや、防音パネルＮ１の補強が必要でなく、発光装置１０の設置に係わる作業を簡便なものとできる。【選択図】        図１
2006070477.tif 000002
【特許請求の範囲】
【請求項１】
発光体が備えられた発光部と、防音壁上端に嵌着される嵌着部とを一体に備え、該嵌着部を用いて防音壁に取り付けられることを特徴とする防音壁用発光装置。
【請求項２】
前記防音壁は、低層防音壁であることを特徴とする請求項１に記載の防音壁用発光装置。
【請求項３】
請求項１又は２に記載の防音壁用発光装置が取り付けられていることを特徴とする発光システム。
【発明の詳細な説明】
【技術分野】
【０００１】
本発明は、防音壁に設けられ、発光することで道路照明、注意喚起、視線誘導等を行うことができる防音壁用発光装置及び発光システムに関するものである。
【背景技術】
【０００２】
従来発光することで道路照明、注意喚起、視線誘導等を行うことができる防音壁としては、複数の全面遮音板から形成された防音壁において、全面遮音板と略同一の外形を有し、その一部に照明装置を内蔵した複数の照明装置付遮音板を備え、該照明装置付遮音板を全面遮音板を任意に組み合わせて形成することができる照明装置内蔵型防音壁が開示されている（例えば特許文献１）。
【０００３】
また、遮音壁の壁部に画像を表示する表示装置を備え、該表示装置に画像形成用の発光部が備えられ、太陽電池で発生した電力を前記発光部に供給する太陽電池一体型遮音パネルを用いた表示システムが開示されている（例えば特許文献２）。
【０００４】
【特許文献１】実願平３−５７８５６号のＣＤ−ＲＯＭ（実開平５−３３１８号）
【特許文献２】特開平９−２１１１７号公報
【発明の開示】
【発明が解決しようとする課題】
【０００５】
しかしながら、防音壁に発光装置を設ける場合、とりわけ既に設置されている防音壁に設ける場合には、特許文献１に記載の照明装置付遮音板では防音壁頂部に取り付けられた笠木や遮音パネルを取り外す必要があり、設置に係わる作業が極めて煩雑なものとなっていた。
【０００６】
また特許文献２の表示装置では、遮音壁の壁面に取り付けられるものであり、既に設置されている遮音パネルの強度が不足している場合には遮音壁から落下する恐れがあり、取り付けに際して遮音パネルの補強等が必要となる場合があり、これまた設置に係わる作業が煩雑なものとなることがある。
【０００７】
本発明は上記の如き課題に鑑みてなされたものであり、防音壁に対して確実に取り付けることができ、且つ設置に係わる作業が簡便なものとできる防音壁用発光装置及び発光システムを提供せんとするものである。
【課題を解決するための手段】
【０００８】
上記目的を達成するため、本発明は以下のような構成としている。すなわち、本発明に係わる防音壁用発光装置は、発光体が備えられた発光部と、防音壁上端に嵌着される嵌着部とを一体に備え、該嵌着部を用いて防音壁に取り付けられることを特徴とするものである。
【０００９】
また本発明において、前記防音壁は、低層防音壁であれば、発光装置を防音壁上端に嵌着した場合に運転者の目線の高さと同程度の高さに発光部を設けるのが容易であり、注意喚起や視線誘導など発光装置により得られる効果を高いものとでき好ましい。
【００１０】
また本発明に係わる発光システムは、本発明請求項１又は２に記載の防音壁用発光装置が取り付けられていることを特徴とするものである。
【発明の効果】
【００１１】
本発明に係わる防音壁用発光装置によれば、嵌着部を用いて防音壁に取り付けられることで、発光装置を防音壁に確実に取り付けることができ、また防音壁上端に嵌着部を用いて嵌着することで取り付けられるので、笠木、防音パネルの取り外しや、防音パネルの補強が必要でなく、設置に係わる作業を簡便なものとできる。
【００１２】
また本発明に係わる発光システムによれば、簡便且つ確実に発光による注意喚起や視線誘導等を行うことができる発光システムを形成することができ、とりわけ防音壁が既に設置したものであっても形成に係わる作業を軽減することができる。
【発明を実施するための最良の形態】
【００１３】
本発明に係わる最良の実施の形態について、図面に基づき以下に具体的に説明する。
【００１４】
図１は、本発明に係わる防音壁用発光装置の、実施の一形態を示す説明図である。道路Ｒと歩道Ｈとの間に低層防音壁である防音壁Ｎが延設され、防音壁Ｎは、防音パネルＮ１の上端に、断面蒲鉾型の笠木Ｎ２が取り付けられて形成されている。かかる笠木Ｎ２に、防音壁用発光装置１０が取り付けられている。防音壁用発光装置１０は、アルミニウム鋳物からなる本体３に、笠木Ｎ２に嵌着可能な断面逆蒲鉾型の嵌着部１と、ＬＥＤである発光体２１を備えた発光部２とが一体に備えられ、嵌着部１と発光部２とがＬ字型をなすと共に、発光部２が車道Ｒ側に設けられるようになされている。更に本体３の上面には太陽電池４が設けられ、太陽電池４に太陽光が照射されることで生起された電力を用いて発光体２１が発光されるようになされている。
【００１５】
図２は、図１における防音壁用発光装置１０付近のＡ−Ａ断面を示す断面図である。防音壁Ｎ上端を形成する断面中空の笠木Ｎ２と嵌着部１とは補完形状となされて嵌着され、笠木Ｎ２の車道側の曲部Ｋ１のみならず歩道側の曲部Ｋ２とも嵌着されることで、本体３が車道側及び歩道側にずれないようになされ、防音壁用発光装置１０はより確実に防音壁Ｎに取り付けられる。防音パネルＮ１は、上端に笠木Ｎ２が取り付けられると共に、内部に吸音材Ｎ１１が内蔵されて吸音性を備えるものとなされている。本体３は、嵌着部１と発光部２とが各々設けられる部位でＬ字型を形成しており、発光部２が設けられている内面３１は防音パネルＮ１の車道Ｒ側の面と当接されている。
【００１６】
図３は、防音壁用発光装置１０の車道Ｒ側からの正面図である。発光部２は、発光体２１が車道Ｒを進行する車両と相対向する側のみに設けられ、発光体２１が点滅することで危険箇所の注意喚起や、道路線形に対する視線誘導などを行うことができる。本体３の上面には切欠き部３２が設けられ、切欠き部３２に太陽電池セル４１を備えた太陽電池４が取り付けられている。また本体３の車道Ｒ側の面には、縦方向に意匠性を高めるために四本の縦リブＬが設けられている。更に本体３の下端付近に穿設されたボルト孔（図示せず）にボルトＢが挿通され、ボルトＢにより本体３の下端が防音パネルＮ１の車道Ｒ側に固定されている。
【００１７】
図４は、図１において、防音壁用発光装置１０の中心付近におけるＢ線断面を示す断面図である。切欠き部３２に設けられた太陽電池４は、透明なカバー４３内に充填された透明な封止材４２中に太陽電池セル４１が封止されて形成されている。切欠き部３２内にはスリット状の金具挿入部３３が設けられ、金具挿入部３３にクランク状の取付金具５の上横板部５１が嵌挿され、上横板部５１と下横板部５２とが縦板部５３により連結されてクランク状の形状となされている。本体３は、本体３と下横板部５２との間に、笠木Ｎ２の上面板部Ｎ２１が挟まれることで笠木Ｎ２に取り付けられている。
【００１８】
防音壁用発光装置１０の取り付けにおいては、まず笠木Ｎ２の上面板部Ｎ２１に穿設された切欠き部Ｎ２２に上方から下横板部５２を笠木Ｎ２内に挿入し、本体３を矢印Ｙの方向にスライドさせて本体３の下面と下横板部５２との間に上面板部Ｎ２１を挟み込む。下横板部５２の笠木Ｎ２内への挿入時に、嵌着部１が笠木Ｎ２に嵌着される。次に図３に示したボルトＢにより本体３の下端付近を防音パネルＮ１に固定することで、嵌着部１が笠木Ｎ２に嵌着されることと、本体３の上端と下端とが笠木Ｎ２及び防音パネルＮ１に固定されることとが相俟って、防音壁用発光装置１０は防音壁Ｎに強固に取り付けられたものとなり得る。
【図面の簡単な説明】
【００１９】
【図１】本発明に係わる防音壁用発光装置の、実施の一形態を示す説明図である。
【図２】図１のＡ−Ａ断面図である。
【図３】図１に示した防音壁用発光装置の、車道側からの正面図である。
【図４】図１のＢ線断面図である。
【符号の説明】
【００２０】
１    嵌着部
２    発光部
２１  発光体
３    本体
４    太陽電池
１０  防音壁用発光装置
Ｎ    防音壁
Ｎ１  防音パネル
Ｎ２  笠木
【図１】
2006070477.tif 000003
【図２】
2006070477.tif 000004
【図３】
2006070477.tif 000005
【図４】
2006070477.tif 000006